(57)【要約】      （修正有）【課題】利用者が複数のコンピュータを使用する場合に、その使用の間だけ該利用者のマウス設定環境でのコンピュータ操作を可能とし、操作性を向上する。【解決手段】マウス装置１は、コンピュータの一時的利用者のマウス設定情報が記憶される設定情報記憶回路１１と、コンピュータに予め設定されていたマウス設定情報が待避される待避用記憶回路１２を有し、コンピュータに接続したときにコンピュータに予め設定されていたマウス設定情報を読み込んで待避用記憶回路１２に記憶し、設定情報記憶回路１１に記憶されているマウス設定情報をコンピュータに転送する。また、ロック付き切り離しボタン１４の押下によるマウス装置１の切り離し要求に応答して、待避用記憶回路１２に記憶されているマウス設定情報をコンピュータに転送し、マウス設定情報を自動的に復元する。【選択図】図１
2009251995.tif 000002
【特許請求の範囲】
【請求項１】
コンピュータの一時的利用者のマウス設定情報が記憶される設定情報記憶手段と、
前記コンピュータに予め設定されていたマウス設定情報が待避記憶される設定情報待避手段と、
前記コンピュータに接続したときに、当該コンピュータに予め設定されていたマウス設定情報を読み込んで前記設定情報待避手段に記憶し、前記設定情報記憶手段に記憶されているマウス設定情報を当該コンピュータに転送する第１の制御手段と、
マウス装置の切り離し要求に応答して、前記設定情報待避手段に記憶されているマウス設定情報を前記コンピュータに転送する第２の制御手段と、
を備えることを特徴とするマウス装置。
【請求項２】
前記マウス装置の切り離し要求は、前記マウス装置が前記コンピュータから切り離される際になされるボタン押下に対応する、
ことを特徴とする請求項１に記載のマウス装置。
【発明の詳細な説明】
【技術分野】
【０００１】
本発明は、マウス操作に関するマウス設定情報をコンピュータに設定する機能を有するマウス装置に関する。
【背景技術】
【０００２】
マウス装置に関するマウス設定情報（ポインタ移動のスピード設定、ダブルクリック速度設定、マウス左右ボタン入れ替え、等）は、そのコンピュータの利用者が自分の作業し易いようコンピュータに設定している。このため、コンピュータの利用者が一時的に変わる場合には、主たる利用者により設定されたマウス設定情報の環境下でマウス操作するか、一時的利用者がマウス設定情報を変更設定して利用していた。
【０００３】
例えば、特許文献１には、外部入力デバイスに対するユーザの操作によってなされた入力に基づき、ユーザの操作特性を検出し、この操作特性に基づいて、例えばキーボードやマウスのパラメータ設定値等の、ユーザ特有のユーザ情報を生成して出力する技術が開示されている。また、特許文献２には、パソコン本体に、内蔵ハードディスクとマウス内蔵ハードディスクとを切り替える制御部を設けて、マウスに内蔵されたハードディスクのソフトウェアによりパソコンを動作させる技術が開示されている。
【特許文献１】特開２００３−３３７６４１号公報
【特許文献２】特開２００４−２９５４５４号公報
【発明の開示】
【発明が解決しようとする課題】
【０００４】
しかし、他人により設定されたマウス設定情報の環境下でのマウス操作は使い勝手が悪く、作業効率が低下してしまう。
また、一時的な利用者がマウス設定情報を変更する場合、利用者は、マウス設定情報を新たに設定し、一時的な利用が終わった後にマウス設定情報を元に戻さなければならず煩雑であった。
【０００５】
本発明は、上記問題点に鑑みてなされたもので、一時的利用者がコンピュータを利用する場合に、その利用の間だけ一時的利用者のマウス設定環境でのコンピュータ操作を自動的に可能とするマウス装置を提供することを目的とする。
【課題を解決するための手段】
【０００６】
上記目的を達成するために、本発明に係るマウス装置は、
コンピュータの一時的利用者のマウス設定情報が記憶される設定情報記憶手段と、
前記コンピュータに予め設定されていたマウス設定情報が待避記憶される設定情報待避手段と、
前記コンピュータに接続したときに、当該コンピュータに予め設定されていたマウス設定情報を読み込んで前記設定情報待避手段に記憶し、前記設定情報記憶手段に記憶されているマウス設定情報を当該コンピュータに転送する第１の制御手段と、
マウス装置の切り離し要求に応答して、前記設定情報待避手段に記憶されているマウス設定情報を前記コンピュータに転送する第２の制御手段と、
を備えることを特徴とする。
【発明の効果】
【０００７】
本発明によれば、利用者が一時的にあるコンピュータを利用する場合に、その利用者に適したマウス設定を容易に行うことができる。
【発明を実施するための最良の形態】
【０００８】
以下、本発明の実施形態に係るマウス装置について図面を参照して説明する。本発明のマウス装置は、利用者が一時的にあるコンピュータを利用する場合に、その利用者に適したマウス設定を容易に行うためのものである。
本発明の実施形態に係るマウス装置の構成を図１に例示する。図示されるように、このマウス装置１は、マウス設定記憶回路１１と、待避用記憶回路１２と、転送制御回路１３と、ロック付き切り離しボタン１４と、を備える。
【０００９】
マウス設定記憶回路１１には、コンピュータを一時的に利用者する者（以下、一時的利用者）のマウス設定情報が記憶される。なお、マウス設定情報とは、例えば、ポインタ移動スピード設定、ダブルクリック速度設定、マウス左右ボタン入れ替え等のようなマウス操作に関する設定情報である。
待避用記憶回路１２は、マウス装置１が接続されるコンピュータに先に設定されていた、そのコンピュータの主たる利用者のマウス設定情報が待避記憶される。
【００１０】
転送制御回路１３は、マウス装置１とコンピュータとの間のマウス設定情報の転送処理を制御する。具体的には、マウス装置１がコンピュータへ接続された時には、コンピュータに設定されていたマウス設定情報を読み込んで待避用記憶回路１２に記憶し、マウス設定記憶回路１１に記憶されているマウス設定情報をコンピュータへ転送する。また、マウス装置１がコンピュータから切り離される時には、後述するロック付き切り離しボタン１４の押下に応答して、待避用記憶回路１２に待避されているマウス設定情報をコンピュータへ転送する。
【００１１】
ロック付き切り離しボタン１４は、マウス装置１をコンピュータから切り離す際に押下されるボタンであり、待避用記憶回路１２に待避されていたマウス設定情報を書き戻すタイミングのトリガとなる。マウス装置１のケーブルコネクタには、例えば、コンピュータへの接続口に差し込まれた後に接続口の内部に引っかかる弾力性を有する凸部が設けられており、この凸部がケーブルコネクタをロックする。ロック付き切り離しボタン１４は、マウス装置１のケーブルコネクタ付近等に設けられ、このロック付き切り離しボタン１４が押下されると凸部が押し下げられてロックが解除され、ケーブルコネクタを接続口から引き抜くことが可能となり、マウス装置１をコンピュータから切り離すことができる。
【００１２】
次に、図２のフローチャートを参照して、コンピュータへの接続時におけるマウス装置１の動作について説明する。
例えば、あるコンピュータを一時的に利用するため一時的利用者が自己のマウス装置１のケーブルをコンピュータに接続する。すると、コンピュータへの接続を検知したマウス装置１の転送制御回路１３は、そのコンピュータの主たる利用者により先に設定されたコンピュータ内のマウス設定情報を読み込み（ステップＳ１１）、読み込んだマウス設定情報を待避用記憶回路１２に記憶保存する（ステップＳ１２）。
待避用記憶回路１２へのマウス設定情報の保存が完了すると、転送制御回路１３は、マウス設定記憶回路１１に記憶されている一時的利用者のマウス設定情報を、コンピュータ内のマウス設定情報が記憶される領域へ書き込む（ステップＳ１３）。
【００１３】
本処理により、コンピュータの一時的利用者のマウス設定情報がマウス装置１からコンピュータに設定され、また、コンピュータの主たる利用者のマウス設定情報がコンピュータからマウス装置１へ待避される。これにより、一時的利用者は、自己に適したマウス操作環境でコンピュータを利用することができる。
【００１４】
次に、図３のフローチャートを参照して、コンピュータからの切り離し時におけるマウス装置１の動作について説明する。
例えば、コンピュータの利用を終了した一時的利用者がマウス装置１をコンピュータから切り離すため、ロック付き切り離しボタン１４を押下する。このボタン押下によるマウス装置１の切り離し要求に応答して、転送制御回路１３は、待避用記憶回路１２に記憶されているコンピュータの主たる利用者のマウス設定情報を、コンピュータ内のマウス設定情報が記憶される領域に書き込む（ステップＳ２１）。なお、マウス装置１は、ケーブルコネクタのロックが解除され、コンピュータから取り外される。
【００１５】
本処理により、コンピュータの主たる利用者のマウス設定情報がマウス装置１からコンピュータに書き戻される。これにより、一時的利用者によるコンピュータの利用が終了すると、コンピュータ内のマウス設定情報がマウス装置１の接続前の状態に戻される。
【００１６】
以上説明したように本発明によれば、マウス装置をコンピュータに接続するときには、自動的に、コンピュータに設定されていた主たる利用者のマウス設定情報を待避しつつ一時的利用者のマウス設定情報をコンピュータに設定し、また、マウス装置をコンピュータから取り外すときには、自動的に、待避していた接続前のマウス設定情報をコンピュータに再設定する。これにより、マウス装置を接続している間だけ一時的利用者のマウス設定環境でコンピュータを操作することができる。
【００１７】
なお、本発明は種々の変形及び応用が可能である。
例えば図４に示すように、待避用記憶回路１２と転送制御回路１３の機能をコンピュータ側に設けるようにしてもよい。この場合、マウス装置は、マウス設定記憶回路１１とロック付き切り離しボタン１４を備えていればよい。そして、マウス装置がコンピュータに接続されたときには、コンピュータの制御部が主たる利用者のマウス設定情報を待避用記憶部（記憶部の待避用領域）に待避し、マウス装置から一時的利用者のマウス設定情報を読み出して設定してもよい。また、マウス装置がコンピュータから取り外されるときには、コンピュータの制御部が例えばマウス装置がコンピュータから切り離されたことを検知して、待避用記憶部に待避されていた主たる利用者のマウス設定情報を読み出して再設定するようにしてもよい。
【図面の簡単な説明】
【００１８】
【図１】本発明の実施形態に係るマウス装置の構成を示す図である。
【図２】コンピュータへの接続時におけるマウス装置の動作を説明するためのフローチャートである。
【図３】コンピュータからの取り外し時におけるマウス装置の動作を説明するためのフローチャートである。
【図４】本発明の変形例を説明するための図である。
【符号の説明】
【００１９】
１              マウス装置
１１            マウス設定記憶回路
１２            待避用記憶回路
１３            転送制御回路
１４            ロック付き切り離しボタン
【図１】
2009251995.tif 000003
【図２】
2009251995.tif 000004
【図３】
2009251995.tif 000005
【図４】
2009251995.tif 000006